(57)【要約】      （修正有）【課題】圧入式杭打ち機が部分的に浮き上がったり、傾くこと等がなく、圧入式杭打ち機の姿勢を安定的に維持して、常に圧入式杭打ち機の重心位置と杭芯位置を一致させて既製杭の打設鉛直精度を向上させることができる圧入式杭打ち機を提供する。【解決手段】リーダマスト１２を備えた機体本体１と、機体本体１を前後方向に移動可能に支持する前後方向移動支持機構２と、機体本体１を横方向に移動可能に支持する横方向移動支持機構３とからなる圧入式杭打ち機において、機体本体１の前後部及び／又は側方部に、左右又は前後に区画した貯水槽４Ａ、４Ｂ、５Ａ、５Ｂ、６Ａ、６Ｂ、７Ａ、７Ｂを配設するとともに、貯水槽４Ａ、４Ｂ、５Ａ、５Ｂ、６Ａ、６Ｂ、７Ａ、７Ｂに貯留した水を区画された貯水槽４Ａ、４Ｂ、５Ａ、５Ｂ、６Ａ、６Ｂ、７Ａ、７Ｂ間で移送可能に構成する。【選択図】図１
2005120677.tif 000002
【特許請求の範囲】
【請求項１】
既製杭の圧入装置を配設したリーダマストを備えた機体本体と、機体本体の側方下部に配設した、機体本体を前後方向に移動可能に支持する前後方向移動支持機構と、機体本体の前後方下部に配設した、機体本体を横方向に移動可能に支持する横方向移動支持機構とからなる圧入式杭打ち機において、機体本体の前後部及び／又は側方部に、左右又は前後に区画した貯水槽を配設するとともに、該貯水槽に貯留した水を区画された貯水槽間で移送可能に構成したことを特徴とする圧入式杭打ち機。
【発明の詳細な説明】
【技術分野】
【０００１】
本発明は、杭打ち機に関し、特に、圧入式杭打ち機に関するものである。
【背景技術】
【０００２】
従来の既製杭工法は、打ち込み杭工法と埋め込み杭工法に大別することができる。
【０００３】
このうち、打ち込み杭工法は、既製杭に打撃や振動を与えることにより、既製杭を地盤に貫入、打設する工法であるが、この工法は、大きな騒音や振動が発生することから、工事現場近隣の環境保全の観点から、特に、市街地等では用いることが困難となってきている。
一方、埋め込み杭工法は、既製杭を地盤を掘削して形成した孔に設置、打設する工法であり、この工法は、打ち込み杭工法のように大きな騒音や振動が発生することがないという利点を有する反面、掘削によって地盤が緩んだり、掘削排土が発生し、その処理に手数と費用がかかるという問題がある。
【０００４】
ところで、上記問題点を解消する既製杭工法として、圧入式杭打ち工法がある（例えば、特許文献１参照）。
この工法は、既製杭に打撃や振動を与えることなく、圧入式杭打ち機及びカウンタウエイトの重量を反力に既製杭を地盤に押し込んで打設する工法であるため、打ち込み杭工法のように大きな騒音や振動が発生することがなく、また、埋め込み杭工法のように掘削によって地盤が緩んだり、掘削排土が発生することもないという利点を有する反面、圧入式杭打ち機及びカウンタウエイトの重量を反力に既製杭を地盤に押し込んで打設するものであるため、特に、固い地盤等で圧入式杭打ち機から得る反力の大きさ、すなわち、圧入式杭打ち機及びカウンタウエイトの重量との比較において大きな圧入力を必要とする場合や圧入式杭打ち機及びカウンタウエイトの重量を支持しにくいような足場の悪い軟弱な地盤の場合には、圧入式杭打ち機が部分的に浮き上がったり、傾くこと等により、圧入式杭打ち機の姿勢が安定しにくく、このため、既製杭の打設鉛直精度が低下したり、既製杭が破壊したり、打設作業ができなくなるという問題があった。
【特許文献１】特開２００２−６１１８６号公報
【発明の開示】
【発明が解決しようとする課題】
【０００５】
本発明は、上記従来の圧入式杭打ち工法の有する問題点に鑑み、固い地盤等で圧入式杭打ち機から得る反力の大きさとの比較において大きな圧入力を必要とする場合や圧入式杭打ち機及びカウンタウエイトの重量を支持しにくいような足場の悪い軟弱な地盤の場合でも、圧入式杭打ち機が部分的に浮き上がったり、傾くこと等がなく、圧入式杭打ち機の姿勢を安定的に維持して、常に圧入式杭打ち機の重心位置と杭芯位置を一致させて既製杭の打設鉛直精度を向上させることができる圧入式杭打ち機を提供することを目的とする。
【課題を解決するための手段】
【０００６】
上記目的を達成するため、本発明の圧入式杭打ち機は、既製杭の圧入装置を配設したリーダマストを備えた機体本体と、機体本体の側方下部に配設した、機体本体を前後方向に移動可能に支持する前後方向移動支持機構と、機体本体の前後方下部に配設した、機体本体を横方向に移動可能に支持する横方向移動支持機構とからなる圧入式杭打ち機において、機体本体の前後部及び／又は側方部に、左右又は前後に区画した貯水槽を配設するとともに、該貯水槽に貯留した水を区画された貯水槽間で移送可能に構成したことを特徴とする。
【発明の効果】
【０００７】
本発明の圧入式杭打ち機によれば、機体本体の前後部及び／又は側方部に、左右又は前後に区画した貯水槽を配設するとともに、該貯水槽に貯留した水を区画された貯水槽間で移送可能に構成しているので、固い地盤等で圧入式杭打ち機から得る反力の大きさとの比較において大きな圧入力を必要とする場合や圧入式杭打ち機及びカウンタウエイトの重量を支持しにくいような足場の悪い軟弱な地盤の場合でも、機体本体の前後部及び／又は側方部に、左右又は前後に区画した貯水槽に貯留した水を区画された貯水槽間で移送することにより、圧入式杭打ち機及びカウンタウエイトの重量を補助的に調整して、圧入式杭打ち機が部分的に浮き上がったり、傾くこと等を防止することができ、これにより、圧入式杭打ち機の姿勢を安定的に維持して、常に圧入式杭打ち機の重心位置と杭芯位置を一致させて既製杭の打設鉛直精度を向上させることができる。
【発明を実施するための最良の形態】
【０００８】
以下、本発明の圧入式杭打ち機の実施の形態を、図面に基づいて説明する。
【実施例１】
【０００９】
図１〜図７に、本発明の圧入式杭打ち機の一実施例を示す。
この圧入式杭打ち機は、既製杭Ｐの圧入装置１１を配設したリーダマスト１２を備えた機体本体１と、機体本体１の側方下部に配設した、機体本体１を前後方向に移動可能に支持する前後方向移動支持機構２と、機体本体１の前後方下部に配設した、機体本体１を横方向に移動可能に支持する横方向移動支持機構３と、機体本体１の前後部に、左右に区画して配設した貯水槽４Ａ、４Ｂ、５Ａ、５Ｂと、機体本体１の側方部に、前後に区画して配設した貯水槽６Ａ、６Ｂ、７Ａ、７Ｂと、貯水槽４Ａ、４Ｂ、５Ａ、５Ｂ、６Ａ、６Ｂ、７Ａ、７Ｂに貯留した水を区画された貯水槽４Ａ、４Ｂ、５Ａ、５Ｂ、６Ａ、６Ｂ、７Ａ、７Ｂ間で移送するポンプＰ１、Ｐ２及びバルブＢ１、Ｂ２、Ｂ３、Ｂ４等からなる移送管路８（貯水槽６Ａ、６Ｂ、７Ａ、７Ｂのポンプ及びバルブ等からなる移送管路については、貯水槽４Ａ、４Ｂ、５Ａ、５Ｂと同様であるため、図示省略）とで構成している。
なお、機体本体１の安定度等に応じて、貯水槽は、機体本体１の前後部又は側方部のいずれか一方のみに配設するようにすることもできる。
【００１０】
この場合において、既製杭Ｐの圧入装置１１は、図４に示すように、リーダマスト１２に着脱可能に取り付けられる圧入装置本体部１１ａと、この圧入装置本体部１１ａに油圧ジャッキ１１ｂを介して取り付けられた杭頭保持部１１ｃとを備えている。
そして、圧入装置本体部１１ａは、その上部に形成した吊り下げ部１１ｄをワイヤ１１ｅ等により吊り下げることにより、圧入装置１１ごとリーダマスト１２に着脱可能に取り付けられ、杭頭保持部１１ｃに既製杭Ｐを保持した状態で、圧入装置本体部１１ａをリーダマスト１２に形成された所定の係止部１２ａにストッパー１１ｆにより係止して、油圧ジャッキ１１ｂを伸張させることにより、圧入式杭打ち機の全重量を反力に杭頭保持部１１ｃに集中させて既製杭Ｐを地盤に押し込んで打設することができるようにしている。
【００１１】
機体本体１の側方下部に配設した、機体本体１を前後方向に移動可能に支持する前後方向移動支持機構２（機体本体１の前後方下部に配設した、機体本体１を横方向に移動可能に支持する横方向移動支持機構３も同様）は、図５に示すように、レール２２（３２）を備えた接地板２１（３１）を備え、この接地板２１（３１）上に固定した油圧ジャッキ２３（３３）を伸縮することにより、油圧ジャッキ２３（３３）の先端に配設した摺動支持体２４（３４）を介して、機体本体１を支持する機体支持用油圧ジャッキ２５（３５）の下端に配設した車輪２６（３６）を、レール２２（３２）に沿って前後方向（横方向）に移動することができるようにしている。
【００１２】
そして、機体本体１の移動、例えば、前後方向の移動は、図６（ａ）に示すように、接地板２１、３１を接地した状態から、図６（ｂ）に示すように、機体支持用油圧ジャッキ３５を縮めて、接地板３１を持ち上げるとともに、図６（ｃ）に示すように、油圧ジャッキ２３を操作することにより、油圧ジャッキ２３の先端に配設した摺動支持体２４を介して、機体本体１を支持する機体支持用油圧ジャッキ２５の下端に配設した車輪２６を、レール２２に沿って前後方向に移動することにより、機体本体１を前後方向に移動させる。
次に、図６（ｄ）に示すように、機体支持用油圧ジャッキ３５を伸張して、接地板３１を接地するとともに、機体支持用油圧ジャッキ２５を縮めて、接地板２１を持ち上げ、油圧ジャッキ２３を先とは逆方向に操作することにより、油圧ジャッキ２３の先端に配設した摺動支持体２４を介して、機体本体１を支持する機体支持用油圧ジャッキ２５の下端に配設した車輪２６を、レール２２に沿って先とは逆方向に移動することにより、機体本体１を中立位置に復帰させる。
そして、図６（ｅ）に示すように、接地板３１を接地した状態で、機体支持用油圧ジャッキ２５を伸張して、接地板２１を接地し、その位置で、既製杭Ｐを地盤に押し込んで打設するようにする。
【００１３】
そして、本実施例においては、機体本体１の前後部及び側方部に、左右又は前後に区画した貯水槽４Ａ、４Ｂ、５Ａ、５Ｂ、６Ａ、６Ｂ、７Ａ、７Ｂを配設するとともに、貯水槽４Ａ、４Ｂ、５Ａ、５Ｂ、６Ａ、６Ｂ、７Ａ、７Ｂに貯留した水を、ポンプＰ１、Ｐ２及びバルブＢ１、Ｂ２、Ｂ３、Ｂ４等からなる移送管路８を介して、区画された貯水槽４Ａ、４Ｂ、５Ａ、５Ｂ（貯水槽６Ａ、６Ｂ、７Ａ、７Ｂ）間で移送可能に構成している。そして、機体本体１の四隅に傾斜計（図示省略）を配設し、該傾斜計の測定値に基づいて、移送管路８を介して貯水槽４Ａ、４Ｂ、５Ａ、５Ｂ（貯水槽６Ａ、６Ｂ、７Ａ、７Ｂ）間で貯留した水を移送し、各貯水槽４Ａ、４Ｂ、５Ａ、５Ｂ（貯水槽６Ａ、６Ｂ、７Ａ、７Ｂ）の水量を制御するようにする。
なお、貯水槽４Ａ、４Ｂ、５Ａ、５Ｂ、６Ａ、６Ｂ、７Ａ、７Ｂは、機体本体１と共に移動するため、機体本体１を前後方向に移動可能に支持する前後方向移動支持機構２や機体本体１を横方向に移動可能に支持する横方向移動支持機構３のような移動機構は特に必要ないが、必要に応じて、これらと連動する貯水槽４Ａ、４Ｂ、５Ａ、５Ｂ、６Ａ、６Ｂ、７Ａ、７Ｂの移動支持機構（図示省略）を配設することもできる。
【００１４】
これにより、固い地盤等で圧入式杭打ち機から得る反力の大きさとの比較において大きな圧入力を必要とする場合や圧入式杭打ち機及びカウンタウエイトの重量を支持しにくいような足場の悪い軟弱な地盤の場合、さらには、工事現場の隅部等で、圧入式杭打ち機の姿勢を接地板２１、３１によって安定的に維持できない場合には、移送管路８を介して貯水槽４Ａ、４Ｂ、５Ａ、５Ｂ（貯水槽６Ａ、６Ｂ、７Ａ、７Ｂ）間で貯留した水を移送し、各貯水槽４Ａ、４Ｂ、５Ａ、５Ｂ（貯水槽６Ａ、６Ｂ、７Ａ、７Ｂ）の水量を制御することにより、圧入式杭打ち機及びカウンタウエイトの重量を補助的に調整して、圧入式杭打ち機が部分的に浮き上がったり、傾くこと等を防止することができ、これにより、圧入式杭打ち機の姿勢を安定的に維持して、常に圧入式杭打ち機の重心位置と杭芯位置を一致させて既製杭の打設鉛直精度を向上させることができる。
【００１５】
圧入式杭打ち機及びカウンタウエイトの重量の調整は、具体的には、図７に示すように、圧入式杭打ち機が傾いた側（レベルが下がった側）の貯水槽４Ａ、４Ｂ、５Ａ、５Ｂ（貯水槽６Ａ、６Ｂ、７Ａ、７Ｂについても同様）から、反対側の貯水槽４Ａ、４Ｂ、５Ａ、５Ｂに貯留した水を移送する（図７（ａ）は圧入式杭打ち機の後側（貯水槽５Ａ、５Ｂ側）に、また、図７（ｂ）は圧入式杭打ち機の左側（貯水槽４Ａ、５Ａ側）に、それぞれ傾いた（レベルが下がった）場合の水の移送方向を示す。）ことにより、圧入式杭打ち機の重心の位置を調整するようにする。
【００１６】
なお、各貯水槽４Ａ、４Ｂ、５Ａ、５Ｂ、６Ａ、６Ｂ、７Ａ、７Ｂには、平衡時で各貯水槽の容量の１／２〜２／３の水量を貯留するようにし、これにより、圧入式杭打ち機の重心の位置を調整することができるようにするとともに、貯留した水にカウンタウエイト（圧入式杭打ち機から得る反力）の機能を持たせるようにする。
【００１７】
以上、本発明の圧入式杭打ち機について、その一実施例に基づいて説明したが、本発明は上記実施例に記載した構成に限定されるものではなく、その趣旨を逸脱しない範囲において適宜その構成を変更することができるものである。
【産業上の利用可能性】
【００１８】
本発明の圧入式杭打ち機は、固い地盤等で圧入式杭打ち機から得る反力の大きさとの比較において大きな圧入力を必要とする場合や圧入式杭打ち機及びカウンタウエイトの重量を支持しにくいような足場の悪い軟弱な地盤の場合でも、圧入式杭打ち機が部分的に浮き上がったり、傾くこと等がなく、圧入式杭打ち機の姿勢を安定的に維持して、常に圧入式杭打ち機の重心位置と杭芯位置を一致させて既製杭の打設鉛直精度を向上させることができる特性を有していることから、大きな騒音や振動が発生することがなく、また、掘削によって地盤が緩んだり、掘削排土が発生しないという圧入式杭打ち機の利点を享有しながら、比較的狭い工事現場等にも適用することができる。
【図面の簡単な説明】
【００１９】
【図１】本発明の圧入式杭打ち機の一実施例を示す平面図である。
【図２】同貯水槽を省略した平面図である。
【図３】同圧入式杭打ち機を示し、（ａ）は正面図、（ｂ）は側面図である。
【図４】同圧入式杭打ち機のリーダマストを示す正面図である。
【図５】同圧入式杭打ち機の前後方向移動支持機構（横方向移動支持機構）を示し、（ａ）は正面図、（ｂ）は側面図である。
【図６】同圧入式杭打ち機の前後方向の移動方法を示す説明図である。
【図７】圧入式杭打ち機の重心の位置を調整方法を示す説明図である。
【符号の説明】
【００２０】
１    機体本体
１１  圧入装置
１２  リーダマスト
２    前後方向移動支持機構
２１  接地板
３    横方向移動支持機構
３１  接地板
４Ａ  貯水槽
４Ｂ  貯水槽
５Ａ  貯水槽
５Ｂ  貯水槽
６Ａ  貯水槽
６Ｂ  貯水槽
７Ａ  貯水槽
７Ｂ  貯水槽
８    移送管路
Ｐ    既製杭
【図１】
2005120677.tif 000003
【図２】
2005120677.tif 000004
【図３】
2005120677.tif 000005
【図４】
2005120677.tif 000006
【図５】
2005120677.tif 000007
【図６】
2005120677.tif 000008
【図７】
2005120677.tif 000009